(57)【特許請求の範囲】
【請求項１】
可動式の内刃（２・２２）を備えた本体ケース（１）の上部に、外刃ホルダ（４３）が上下方向に着脱自在に装着されており、
前記内刃（２・２２）を覆うよう外刃（３・４５）をアーチ状に保持したカセット外刃（４０）が、カセットロック手段（７０）を介して、前記外刃ホルダ（４３）に対し係合・離脱自在に装着されており、
外刃ホルダ（４３）の左右側壁（５７・５７）の外面上に、カセット外刃（４０）の外刃ホルダ（４３）との係合を解除するための解除ボタン（７４）と、外刃ホルダ着脱用の把持部（６７）とが、上下に並べて配設されている電気かみそりにおいて、
解除ボタン（７４）と把持部（６７）間の中間部位に、突出壁（７６）が設けられており、
これら把持部（６７）と突出壁（７６）は、外刃ホルダ（４３）の左右側壁（５７・５７）の外面上から一体的に突設されており、
突出壁（７６）は、解除ボタン（７４）の指当面（７４ａ）及び把持部（６７）の指当面（６７ａ）より高く突出しており、
把持部（６７）の指当面（６７ａ）にはローレット（６９）が設けられており、
前記外刃ホルダ（４３）の左右側壁（５７・５７）の各内面側に、前記解除ボタン（７４）に押圧されて外刃ホルダ（４３）の内部側に向けて撓むロック板（７２）が取り付けられており、
前記カセットロック手段（７０）が、前記ロック板（７２）が前記解除ボタン（７４）に押圧されて前記外刃ホルダ（４３）の内部側に向けて撓むことによって、前記カセット外刃（４０）と前記外刃ホルダ（４３）との係合が解除される構成になっており、
前記カセット外刃（４０）の外刃枠（４６）の左右側壁（５６ａ・５６ａ）の下端に係合爪（７１）が垂設されており、その係合爪（７１）と係脱するロック孔（７３）が前記ロック板（７２）の上端に設けられており、
各ロック板（７２）の上端が、外刃ホルダ（４３）の左右側壁（５７・５７）の内面と所定間隔をおいて対向しており、
左右の係合爪（７１・７１）を外刃ホルダ（４３）の左右側壁（５７・５７）の内面に沿わせて下ろしながら、左右側壁（５７・５７）の内面と各ロック板（７２・７２）の上端との間隙内に差し込んで、左右の係合爪（７１・７１）を各ロック孔（７３）に係合させることで、カセット外刃（４０）が外刃ホルダ（４３）に装着されており、
カセット外刃（４０）が外刃ホルダ（４３）に装着された状態において、カセット外刃（４０）の外刃枠（４６）の左右側壁（４６ａ・４６ａ）が、外刃ホルダ（４３）の左右側壁（５７・５７）の内面に重合することを特徴とする電気かみそり。  
【発明の詳細な説明】
【０００１】
【発明の属する技術分野】
本発明は、外刃を変形、損傷させることなく簡易に着脱交換できるようにした電気かみそりに関する。
【０００２】
【従来の技術】
この種の電気かみそりとして、例えば、特開昭６１−３８６号公報に開示されているように外刃をアーチ状に保持したカセット外刃を形造り、このカセット外刃を、内刃を備えた本体ケースの上部に着脱自在に装着した外刃ホルダ（その公報ではシェーピングヘッドフレームと称する。）に対し上下方向に着脱できるように装着したものがある。これによれば、外刃の清掃や交換時には、外刃をカセット外刃ごと外刃ホルダから取り外したり、取り付けたりすることで足り、外刃自体をいちいちアーチ状に曲げながら外刃ホルダに取り付けるような煩わしい手間が一切省略されるため、外刃に変形や損傷を加えることなく、その着脱操作が簡易かつ迅速に行える。
【０００３】
【発明が解決しようとする課題】
しかるに、上記構造の電気かみそりでは、外刃ホルダの左右側面に、カセット外刃の外刃ホルダとの係合を解除するための解除ボタンと、外刃ホルダ着脱用の把持部とが上下に並べて近接配置されている。このため、外刃ホルダを本体ケースから外す時に、外刃ホルダ着脱用の把持部を握る手の指が解除ボタンに触れやすく、この触れによりカセット外刃が不用意に外刃ホルダから外れたり、外れかかったりする。不用意に外れたカセット外刃は床などに落下して外刃に変形や破損などの危害を加えることがある。また外れかかったカセット外刃はこれに気付かないまま不正使用されるという危惧があった。
【０００４】
かかる問題の解決策として、カセット外刃の解除ボタンと、外刃ホルダ着脱用の把持部との上下対向間隔を広くとって両者間の間隔を充分に離すということが考えられるが、これでは外刃ホルダの形状が上下方向に長大化し、小型化のための設計自由度が利かず、必ずしも得策とはいえない。
【０００５】
本発明の目的は、このような問題を解消するためになされたもので、外刃をアーチ状に保持したカセット外刃を外刃ホルダに対し着脱できるように装着した電気かみそりにおいて、本体ケースからの外刃ホルダの取り外し操作を、カセット外刃の不用意な外れを起こすことなく可能にして取り外し操作性の向上が図れ、また外刃ホルダの長大化を招くことなく小型化を図り得る点にある。
【０００６】
【課題を解決するための手段】
本発明の前提とする電気かみそりは、往復動式あるいはロータリ式の内刃２（２２）を備えた本体ケース１の上部に、外刃ホルダ４３が上下方向に着脱自在に装着されており、前記内刃２（２２）を覆うよう外刃３（４５）をアーチ状に保持したカセット外刃４０が、前記外刃ホルダ４３に対し係合・離脱自在に装着されており、外刃ホルダ４３の左右側壁５７・５７の双方又は片方の外面には、カセット外刃４０の外刃ホルダ４３との係合を解除するための解除ボタン７４と、外刃ホルダ着脱用の把持部６７とが上下に並べて配設されているものである。
そのうえで、本発明は、前記外刃ホルダ４３の外面上の解除ボタン７４と把持部６７間の中間部位に、突出壁７６を設けていることを特徴とする。その突出壁７６は、解除ボタン７４の指当面７４ａおよび把持部６７の指当面６７ａの双方よりも高く突出させる。
【０００７】
【作用】
外刃ホルダ４３の左右の把持部６７の指当面６７ａ上に指の先端を当てがって把持することで、外刃ホルダ４３を本体ケース１から上方へ外すことができる。その際、把持部６７の指当面６７ａ上の指先が突出壁７６の突出端に接当係合し、この接当係合作用により指先が解除ボタン７４の方へ近付いたり、滑り移動するのを阻止できるため、解除ボタン７４に触れるのをできる限り避けることができる。従って、このとき指先が不用意に解除ボタン７４に触れてカセット外刃４０が外刃ホルダ４３から外れたり、外れかかったりするのをよく防止できる。また、そのように指先が突出壁７６に接当係合することで、外刃ホルダ４３を上方へ持ち上げるときの指先の滑り止め機能をも発揮する。
【０００８】
【発明の実施の形態】
図示例では本発明を往復動式電気かみそり、より詳しくは三枚剃刃構成を採る往復動式電気かみそりに適用した場合を示す。図１、図２および図７に示すように、この電気かみそりは本体ケース１の上部に、往復動式の前後の内刃２・２およびセンター内刃２２と、前後の外刃３・３およびセンター外刃４５とからなる三枚剃刃を備える。
【０００９】
図１ないし図３において、本体ケース１は、前後ケース１Ｆ・１Ｂを互いに突き合わすとともに、前後ケース１Ｆ・１Ｂの左右の突き合わせ面間にサイドカバー１Ｌ・１Ｒを介在させてなる。この本体ケース１の内部にはモータ４、モータ４の回転を直線往復運動に変換して内刃２およびセンター内刃２２に伝達する駆動伝達機構５、充電用の電池７、回路基板（図示省略）等の電装部品が組み込まれる。図１および図４に示すように、前ケース１Ｆの前面上部にはきわ剃りユニット１０と、起動・停止ときわ剃りユニット出退操作とを兼ねるスイッチノブ１１とが上下に配される。スイッチノブ１１は上下スライド操作可能に備えられ、最下段位置（停止位置）から一段上昇させると起動位置に、更にもう一段上昇させる最上段位置においてきわ剃りユニット１０を軸９まわりに前方へ突出揺動させる（図４の二点鎖線状態）。スイッチノブ１１を最上段位置から一段下げるときわ剃りユニット１０が軸９まわりに後退揺動して前ケース１Ｆの前面に沿うよう格納される（図４の実線状態）。
【００１０】
図３および図４において、本体ケース１の内部上方にはプラスチック製のモータ取付台１２が組み込まれ、このモータ取付台１２に上記モータ４、駆動伝達機構５および内刃２が搭載される。モータ取付台１２はモータ４を縦姿勢に垂下状態に支持する台板１３と、この台板１３の下面に一体形成されてモータ４の全周を覆うモータ覆い筒１４とを有し、台板１３の上面左右端から左右側壁１５・１５を対向状に立設させている。台板１３の上面中央の開口からはモータ４の上端の出力軸１６が上方へ突出され、この出力軸１６上に上下２個の偏心カム１７・１９が固着される。下側の偏心カム１９は出力軸１６の上端に嵌合固定され、この偏心カム１９の上面に立設した偏心ピン２０の上端に、上側の偏心カム１７が嵌合固定されている。
【００１１】
図３および図４において、駆動伝達機構５は、上記した上下の偏心カム１７・１９の偏心ピン２４・２０の回転を前後の内刃２・２およびセンター内刃２２の左右往復動に変換伝達するための前後の振動子２５・２５と、上下の連結ロッド２６・２６とを有する。
【００１２】
図３および図４に示すように前後の振動子２５・２５は各々がプラスチック成形品であり、上面中央から上方へ駆動軸２７を突設した振動子本体２９と、振動子本体２９の左右端から上向きに一体に連設した薄肉部３０・３０とを有してなる。そして前後の振動子２５・２５は、左右の薄肉部３０・３０の上端部３０ａ・３０ａどうしを重合させて上記モータ取付台１２の左右側壁１５・１５の各上端に係合固定させることでモータ取付台１２上に装着される。その際、一方の振動子２５と下側の偏心カム１９とは、該振動子２５の振動子本体２９から突設したピン３１と該偏心カム１９の偏心ピン２０とに連結ロッド２６の両端を枢着することにより連結される。他方の振動子２５と上側の偏心カム１７とは、該振動子２５の振動子本体２９から突設したピン３２と該偏心カム１７の偏心ピン２４とに連結ロッド２６の両端を枢着することにより連結される。この場合、前後の振動子２５・２５のピン３１・３２の一方は左側に、他方は右側に設けるとともに、上下の偏心カム１７・１９の各偏心ピン２４・２０の位相を１８０°ずらすことによって、前後の振動子２５・２５が互いに反対方向に左右往復動するようにすることで各々から発生する振動が相殺されるものとしている。
【００１３】
図３および図４において、前後の振動子２５・２５の駆動軸２７・２７は本体ケース１の上壁３９の中央の開口３３から上方へ突出させ、各突出端に前後の内刃２・２がそれぞれ内刃ホルダ３４を介して装着される。前後の各内刃２は多数のディスク状の小刃３５をプラスチック製の内刃基台３６に左右方向に並列状にインサート成形されていて、内刃ホルダ３４に保持固定される。その際、内刃ホルダ３４は振動子２５の駆動軸２７の上端に押上バネ３７を介して上下動自在に、かつ左右方向に揺動自在に枢支連結される。前後の内刃２・２間に平行に近接配置されるセンター内刃２２は、後述するカセット外刃４０に一体的に組み付けられ、前後の駆動軸２７・２７のいずれか一方に嵌め込み固定される駆動ピース４１を介して左右往復動する。本体ケース１の上壁３９の開口３３と前後の駆動軸２７・２７との間の間隙は可撓性の毛止めカバー４２で塞がれる。図４に示すように前側の振動子２５の前面側にはきわ剃りユニット１０に動力を伝達するための係合子４４を突設している。
【００１４】
いま、モータ４を駆動させると、前後の振動子２５・２５が偏心ピン２０・２４および連結ロッド２６・２６を介して左右に直線往復動して前後の内刃２・２が左右往復動し、同時に駆動ピース４１を介してセンター内刃２２が左右往復動する。このように三枚剃刃を構成する前後の内刃２・２およびセンター内刃２２と、後述する前後の外刃３・３およびセンター外刃４５との協働作用により、早剃り、深剃りをすることができ、特にくせ毛や長毛（剃り残し毛）もセンター内外刃２２・４５で荒剃りしながら前後の内外刃２・３で仕上げ剃りすることができる。
【００１５】
本体ケース１の上部には、外刃ホルダ４３が上下方向に着脱自在に装着され、この外刃ホルダ４３にカセット外刃４０が着脱自在に装着される。
図２および図６に示すように、カセット外刃４０は、前後の網目状の外刃３・３と、この外刃３・３間に平行に隣接状態に配置される櫛状のセンター外刃４５とを、中抜き状の外刃枠４６の内部に一体的に組み付けてなる。前後の外刃３・３は前後の内刃２・２をそれぞれ独自に覆うよう補助枠４７にアーチ状にかしめ溶着されて外刃枠４６の内部に嵌合固定される。
【００１６】
図２および図５に示すように、櫛状のセンター外刃４５は断面コの字形状に形成し、この左右端に弾性突起４９を有するエンドピース５０を一体的に結合している。このセンター外刃４５の内側に櫛状のセンター内刃２２が左右往復動自在に組み付けられる。センター内刃２２は、センター外刃４５に対応させて、断面コの字形状に形成し、この左右方向中央部に受動ピース５１がかしめ溶着される。受動ピース５１は板バネなどのバネ部材５２を上端に保持し、下端に前記駆動ピース４１と係合する二股部５１ａを有する。
センター内刃２２はセンター外刃４５の内側にバネ部材５２および受動ピース５１ごと嵌め込み、バネ部材５２の左右の自由端をエンドピース５０上で受け止める。そのバネ部材５２のスプリング作用でセンター内刃２２が常にセンター外刃４５の内面に対し密着付勢される。
【００１７】
このように、予め一体的に組み合わせたセンター内刃２２とセンター外刃４５とは、図５および図６に示すように、センター外刃４５の左右端から突出するエンドピース５０・５０の弾性突起４９・４９を、外刃枠４６の左右壁４６ａ・４６ａの中央に設けた縦長溝５３・５３に上下動自在に係合支持することで、外刃枠４６の内部における前後の外刃３・３の間に組み付けられる。その際、外刃枠４６の左右の縦長溝５３・５３の各下方から内方へ突設したバネ受５４・５４と、左右のエンドピース５０・５０との間に押上バネ部材５５をそれぞれ介在させ、このバネ部材５５のスプリング作用でセンター内外刃２２・４５が弾性突起４９・４９を縦長溝５３・５３内の上端に当接するまで常時押し上げ付勢される。これによりセンター外刃４５が肌に優しく追従する。
【００１８】
このように構成されたカセット外刃４０は外刃ホルダ４３に着脱自在に装着される。外刃ホルダ４３は前後側壁５６・５６と左右側壁５７・５７とを備えた中抜き形状に形成され、前壁部５６には、外刃ホルダ４３を本体ケース１の上部に装着したとききわ剃りユニット１０を露出させるための切欠部５９を設けている。
【００１９】
図３および図５に示すように、外刃ホルダ４３は本体ケース１の上部に対しホルダロック手段６０を介して着脱自在に装着される。そのホルダロック手段６０は、外刃ホルダ４３の左右側壁５７・５７の各内面の下側に被係合突起６１を設ける一方、本体ケース１側に該被係合突起６１と係脱する係合突起６２を有する弾性アーム６３を設ける。弾性アーム６３は、上記モータ取付台１２の左右側壁１５・１５に切込溝６４を入れることで内外方向に弾性変形自在に一体形成され、この弾性アーム６３の上端に係合突起６２を設けている。その係合突起６２は本体ケース１の左右側壁６５・６５の上部に設けた開口６６から外部へ突出させる。外刃ホルダ４３を着脱するときの把持部６７は左右側壁５７・５７の各外面下端寄りにすじ目等のローレット６９などの指当面６７ａを設けるか、あるいはローレット６９を設けることなく単にフラット面に、又は凹み状に指当面６７ａを形成するものであってもよい。外刃ホルダ４３は本体ケース１の上壁３９の上に溜まる毛くずを掃除するときに外される。
【００２０】
図５および図６に示すように、この外刃ホルダ４３に対しカセット外刃４０がカセットロック手段７０を介して着脱自在に装着する。そのカセットロック手段７０は、カセット外刃４０の外刃枠４６の左右側壁４６ａ・４６ａの両下端に弾性変形自在な係合爪７１を垂設する一方、外刃ホルダ４３の左右側壁５７・５７の各内面側に、該係合爪７１と係脱するロック板７２が取り付けられる。ロック板７２はこれの上端に係合爪７１と係脱するロック孔７３を有するとともに、そのロック孔７３よりも下部に解除ボタン７４を突設していて、ロック孔７３を有する上端が外刃ホルダ４３の左右側壁５７・５７の各内面と所定間隔をおいて対向するとともに、解除ボタン７４が左右側壁５７・５７の前記把持部６７よりも上方に設けた開口７５から突出するようにその下端部７２ａが左右側壁５７・５７の各内面にかしめ溶着される。解除ボタン７４は必ずしもその指当面７４ａが左右側壁５７・５７の各外面より外方へ突出させる必要はなく、その外面とほぼ面一状に形成するものであってもよい。
【００２１】
かくして、カセット外刃４０は外刃ホルダ４３の内部にこれの上方から嵌め込み、左右の係合爪７１・７１を外刃ホルダ４３の左右側壁５７・５７の内面に沿わせて下ろしながら、該左右側壁５７・５７の内面と左右のロック板７２・７２の各上端との間隙内に差し込んで各ロック孔７３に係合させる。この係合によりカセット外刃４０は外刃枠４６の左右側壁４６ａ・４６ａが外刃ホルダ４３の左右側壁５７・５７の内面に重合するとともに、該前後壁部４６ｂ・４６ｂの各下端が外刃ホルダ４３の前後壁部５６・５６の各上端に載る状態に装着される。
【００２２】
カセット外刃４０は、前後の外刃３・３と前後の内刃２・２との密着性を高めて切れ味を向上させるために、前述のように前後の外刃３・３が前後の内刃２・２を押上バネ３７に抗して少し押し下げ気味状態になるように本体ケース１の上部に外刃ホルダ４３を介して装着されている。従って、前後の外刃３・３やセンター内外刃２２・４５を清掃したり、交換するに際し、左右の解除ボタン７４を押圧するとロック孔７３から係合爪７１の係合が解除されると同時に、カセット外刃４０が押上バネ３７で押上付勢されている内刃２で少し押上げられる。しかるのちは、外刃枠４６の前後壁部４６ｂ・４６ｂの外面側をつかむことで、カセット外刃４０を外刃ホルダ４３から上方へ容易に抜き出すことができる。
【００２３】
ここにおいて、注目すべきは、図１および図５に示すように外刃ホルダ４３の左右側壁５７・５７の各外面上において把持部６７と解除ボタン７４との間の中間部位に、突出壁７６を設けている点である。この突出壁７６は、解除ボタン７４の指当面７４ａおよび把持部６７の指当面６７ａのいずれよりも高く突出させる。  
【００２４】
しかるときは、前述のように外刃ホルダ４３を本体ケース１から外すときは、図５に示すように、外刃ホルダ４３の左右側壁５７・５７の把持部６７の指当面６７ａ上に指の先端を当てがうことで外刃ホルダ４３を把持して上方へ持ち上げるが、その際、指先が突出壁７６の突出端に接当係合し、この接当係合作用により指先が解除ボタン７４の方へ近付いたり、滑り移動するのをできる限り阻止できて解除ボタン７４との触れを回避できる。従って、このとき指先が解除ボタン７４に不用意に触れてカセット外刃４０が外刃ホルダ４３から外れたり、外れかかるのを防止できる。また、そのように指先が突出壁７６に接当係合することで、外刃ホルダ４３を上方へ持ち上げるときの指先の滑り止め機能をも発揮する。解除ボタン７４が外刃ホルダ４３の左右側壁５７・５７より突出状態に取り付けられている場合、不慮にも外刃ホルダ４３の左右側壁５７・５７を下にして電気かみそり全体が倒れたり、落下しても、また外刃ホルダ４３単独が左側壁５７又は右側壁５７を下にして床など落下したときも、突出壁７６が床に当たって解除ボタン７４が床に当たるのを回避できるため、該解除ボタン７４の破損を防止できる。
【００２５】
上記カセット外刃４０としては、センター内外刃２２・４５に代えてコームを前後の外刃３・３の間にセットしたものをも用意し、このカセット外刃４０を外刃ホルダ４３に装着するようにすることもできる。この場合は受動ピース５１は使用しないことになる。
上記実施例では前後２個の内刃２・２を備えるが、前後いずれか単一の内刃２を備える形態の電気かみそりにも同様に適用できる。もっとも、この場合、カセット外刃４０は単一の外刃３を備えるもので足りる。
また上記実施例では解除ボタン７４が外刃ホルダ４３の左右側壁５７・５７の双方の外面上に配設されている場合について説明したが、左側壁５７又は右側壁５７のいずれか一方のみに解除ボタン７４が配設されている場合にも同様に適用できる。
本発明は、往復動式の電気かみそり以外に、ロータリ式電気かみそりにも同様に適用できる。
【００２６】
【発明の効果】
本発明の電気かみそりによれば、外刃ホルダ４３の左右側壁５７・５７の少なくとも一方の外面上において把持部６７と解除ボタン７４との間の中間部位に、突出壁７６を設けるという簡単な手段で、外刃ホルダ４３を本体ケース１から外すときも指先が解除ボタン７４に不用意に触れてカセット外刃４０が外刃ホルダ４３から外れたり、外れかかるのをよく防止できる。また突出壁７６は、外刃ホルダ４３を上方へ持ち上げるときの指先の滑り止め機能をも発揮する。また突出壁７６を設けることで外刃ホルダ４３の長大化を招くことなく、小型化の設計自由度を得るというものである。
【図面の簡単な説明】
【図１】本発明の一実施例を示す電気かみそりの全体斜視図である。
【図２】外刃ホルダを装着した状態で示す縦断側面図である。
【図３】かみそり上部の縦断正面図である。
【図４】図３におけるＡ−Ａ線断面図である。
【図５】外刃ホルダを取り外した状態で示す縦断正面図である。
【図６】外刃ホルダおよびカセット外刃を半欠截状態で示す縦断正面図である。
【図７】かみそり上部の分解斜視図である。
【符号の説明】
１  本体ケース
２  内刃
３  外刃
４０  カセット外刃
４３  外刃ホルダ
５７  外刃ホルダの左右側壁
６７  把持部
７４  解除ボタン
７６  突出壁
【図１】
0003992118.tif 000002
【図２】
0003992118.tif 000003
【図３】
0003992118.tif 000004
【図４】
0003992118.tif 000005
【図５】
0003992118.tif 000006
【図６】
0003992118.tif 000007
【図７】
0003992118.tif 000008